(57)【特許請求の範囲】
【請求項１】
把持可能な取手部と、戸板の木口面を閉塞するとともに押圧可能に張出される張出部とを備え、折戸の連結部外側に固定される取手において、横長状を呈する取付座を備えた固定部と、この固定部に一方の半部が位置して他方の半部が戸板との間に隙間を形成するように取付座から離間して張出され、全体として略々横長リング状を呈する取手部材とから一体成形され、上記取手部材は、その一方の半部には、手指を木口面から隔離しつつ手指を挿入して把持可能な取手部と、他方の半部には取付座の一端から延設される張出部と、この張出部の側面に上記取手部から連続して形成され拇指を手指掛けする押圧面部とを備え、取付座の張出部側の端部と折戸の連結部の端部とが略々一致するように固定部が折戸の連結部外側に水平に固定されるときに、張出部が木口面側に位置して木口面を水平に閉塞するとともに、水平方向からの回転モーメントによる折戸閉鎖に際して押圧面部が押圧可能に構成され、取手部が連結部から最短距離となる位置を把持して操作可能に構成されることを特徴とする折戸用取手。
【請求項２】
請求項１記載の折戸用取手において、張出部は固定部と略々同一の長さとしてなることを特徴とする折戸用取手。
【発明の詳細な説明】
【０００１】
【発明の属する技術分野】
本発明は、折戸等に用いられる取手に関する。
【０００２】
【従来の技術】
従来、折戸用取手として、例えば、特許第３０６１５９１号のものが知られている。折戸１は、戸板１０，２０の他端（開閉端）１２、２２の上端部側が上方に敷かれたレールＲ１に図示しないランナーを介して移動自在に支持され、戸板１０，２０の開閉端１２，２２の下端部側が下方に敷かれたレールＲ２に図示しないランナーを介して移動自在に支持されている。
【０００３】
そして、戸板１０、２０のそれぞれ一端（連結部）１１、１２を蝶番３０を介して回動自在に連結した間仕切り等に使用される折戸１に、張出部８０を有する台座７０と取手部６０とで構成される折戸用取手５０を、連結部の付近において、戸板の上下方向に取付けている。これにより、戸板１０、２０のランナーから取手部６０までの距離を大きくして折戸１の操作時における力を小さくして折戸１の移動を円滑にし、台座７０に設けられた張出部８０によって、折戸１の閉塞時における手指詰めを防止している。
【０００４】
【発明が解決しようとする課題】
ところで、上述した従来の折戸用取手５０は、張出部８０及び取手部６０の取付方向は戸板の上下方向に設置されているため、取手部６０を把持する方向に対し、張出部８０を押圧する拇指方向が直角となる。よって、比較的、手指に力が入り難い取手部６０及び張出部８０となり、高齢者や子供など幼児にとって扱い易い構造であるとはいえない。
【０００５】
さらに、連結部を閉塞する張出部８０は、取手部６０とは別部品の構成であり、取付作業が容易であるとはいえない。また、折戸用取手５０は、折戸１の一方の戸板に台座７０及び取手部６０を設置するため、たとえば、折戸１が３組ある場合には、取付位置がまちまちになり、景観が悪くなる問題点がある。
【０００６】
本発明は、このような事情に対処してなされたもので、折戸に対して最適な力の方向を確保し、最小の力で折戸の開閉をよりスムーズに行わせることができるとともに、折戸への手指詰めを防止することができ、折戸用取手の取付位置の景観を良好にする折戸用取手を提供することを課題とする。
【０００７】
【課題を解決するための手段】
前述の課題を解決するために、本発明に係る折戸用取手は、次のような手段を採用する。
【０００８】
即ち、請求項１では、 把持可能な取手部と、戸板の木口面を閉塞するとともに押圧可能に張出される張出部とを備え、折戸の連結部外側に固定される取手において、横長状を呈する取付座を備えた固定部と、この固定部に一方の半部が戸板との間に隙間を形成するように位置して他方の半部が取付座から離間して張出され、全体として略々横長リング状を呈する取手部材とから一体成形され、上記取手部材は、その一方の半部には、手指を木口面から隔離しつつ手指を挿入して把持可能な取手部と、他方の半部には取付座の一端から延設される張出部と、この張出部の側面に上記取手部から連続して形成され拇指を手指掛けする押圧面部とを備え、取付座の張出部側の端部と折戸の連結部の端部とが略々一致するように固定部が折戸の連結部外側に水平に固定されるときに、張出部が木口面側に位置して木口面を水平に閉塞するとともに、水平方向からの回転モーメントによる折戸閉鎖に際して押圧面部が押圧可能に構成され、取手部が連結部から最短距離となる位置を把持して操作可能に構成されることを特徴とする。
【０００９】
この手段では、取手部材は、略々横長リング状に形成され、取手部を把持するために挿入される手指は木口面から隔離されて戸板の連結部から保護される。また、取手部材は、横長状の固定部の取付座を介して戸板に対して水平に取付けられることで、連結部から最短距離で取手部を操作することが可能になる。
【００１０】
さらに、取手部を把持する際の拇指は、張出部又は取手部の範囲内の押圧面部で押圧可能に位置されるため、拇指以外の手指の把持方向に対して拇指が水平方向になり、折戸を水平方向にスライドさせる場合には、張出部で押圧することができ、折戸の移動に際して最小の力で対処できる。
【００１１】
また、請求項２では、請求項１記載の折戸用取手において、張出部は固定部と略々同一の長さとしてなることを特徴とする。
【００１２】
この手段では、張出部は固定部とは略々同一の長さであるため、折戸の連結部において取手部が左右対称となり、閉塞時の折戸の外観が損なわれない。
【００１３】
【発明の実施の形態】
以下、本発明の実施の形態を図面に基づいて説明する。
図１乃至図７は、本発明に係る折戸用取手の実施の形態（１）を示すものである。なお、以下に説明する図において、従来例と共通する部分には同一符号を付して重複する説明を省略する。
【００１４】
本実施の形態における折戸用取手５５は、折戸１に固定される固定部７０と、固定部７０に一方の半部Ａが位置して他方の半部Ｂが固定部７０から離間して張出され、全体として略々横長リング状を呈する取手部材５６とで構成される。
【００１５】
図７に示すように、取手部材５６は、半部Ａには取手部６０と、半部Ｂには張出部８０とを備えた構成となっている。
【００１６】
固定部７０は、折戸１に当接する横長状の取付座７２と、折戸１に固定させるためのネジ孔７１と、取付座７２の半部Ｂ側の端部７３とで構成されている。
【００１７】
取手部６０は、略々横長リング状に形成される取手部材５６の固定部７０に位置している半部Ａ側に形成され、手指を挿入して把持可能に構成されている。また、取手部６０は、把持している手指と取手部６０の内側とが接触する内接面６１を有している。
【００１８】
張出部８０は、略々横長リング状に形成される取手部材５６の半部Ｂ側に形成され、取付座７２から離間して張出されている。また、取手部６０と一体となって連続している張出部８０の側面である押圧面部８１は、手指が取手部６０に挿入され取手部６０を把持する際に、拇指が当接され、拇指によって押圧可能な厚さｄを有する構成となっている。
【００１９】
また、図２に示すように、張出部８０と固定部７０のそれぞれの長さは、略々一致し、折戸１に固定部７０の取付座７２を介して固定する際は、戸板１０、２０が蝶番３０で連結されている連結部１００の端部と取付座７２の端部７３とが一致するように固定する。したがって、取手部材５６の横方向の長さをＬとすると、張出部８０及び固定部７０の長さはそれぞれ約Ｌ／２となる。ここで、連結部１００は蝶番３０によって戸板１０、２０が連結されている部分を示している。
【００２０】
このように形成された折戸用取手５５は、折戸１の折畳み時におけるＶ字形外側に位置する戸板２０に、折戸１の連結部１００に対して水平方向に取付けされる。その取付けは、固定部７０の取付座７２を折戸１の取付位置に当接し、端部７３と連結部１００の端部とを一致させ、連結部１００の内側の戸板２０からネジ等の結合部材を挿通して、固定部７０のネジ孔７１によって折戸１と固定する。また、この折戸用取手５５は、例えば、硬質プラスチク等の軽量素材で成形することができる。
【００２１】
次に、折戸１の開閉動作について説明する。
ここで、回転モーメントについて説明する。回転モーメントは支点までの距離と支点にかかる力の積によって表される。したがって、戸板１０，２０のランナーから最も長い距離に位置する蝶番３０で操作することが最小の力で最大の回転モーメントを発揮できることになる。
【００２２】
まず、図３に示すように、折戸１を折り畳んで開放するには、横長リング状の取付部材５５の半部Ａから手指を挿入して取手部６０を把持しながら手前に引くと、戸板１０，２０の開閉端１２，２２側に取付けされたランナーがそれぞれ折戸１の中央側にスライドし、これにより蝶番３０を介して折戸１が折り畳まれる。このときの回転モーメントは、戸板２０側のランナーから固定部７０の取付座７２の端部７３までの距離Ｌ１と、端部７３に作用する操作時の力Ｆとの積である。したがって、距離Ｌ１が戸板２０側のランナーから蝶番３０までの距離が最大となるため、折戸１を開放するための力Ｆは最小となり、折戸１の開放はスムーズに行われる。また、取付部６０を把持している手指は、内接面６１と当接しているので、開放時の操作における力Ｆは、手指から内接面６１を介して折戸１に無駄なく伝達される。さらに、取手部６０を把持する際は、取付部材５５の半部Ｂ領域側に寄って把持することで取付座７２から折戸１に伝達される力Ｆはより連結部１００の蝶番３０に対して直角方向なるので、力Ｆは分散されずに折戸１に伝達される。
【００２３】
そして、図４に示すように、折戸１を折り畳んだ状態でレールＲ１，Ｒ２の水平方向であるＡ方向にスライドさせる場合には、取手部６０を把持したままスライドさせるだけで、ランナーの支持がなく重心が偏位している折戸１の連結部１００の１１，２１側を直接押圧することなる。特に、取付座７２の端部７２と連結部１００の端部とが略々一致しているため、常に連結部１００の１１、２１側を直接押圧することができる。その結果、張出部８０のＡ方向への押圧に合わせて、戸板１０，２０の開閉端１２，２２側に位置するランナーもレールＲ１，Ｒ２をＡ方向にスライドし、折戸１のスライドが行われる。なお、Ａ方向と反対方向にスライドさせる場合には、上記とは反対に取手部６０をＡ方向とは反対方向に引くと、連結部１００の１１，２１側を直接引きながら折戸１をスライドさせることができる。
【００２４】
一方、折戸１を閉塞状態にするには図５に示すように、取手部６０を把持したまま、張出部８０の押圧面部８１を押圧すると、上記とは反対に戸板１０，２０の開閉端１２，２２側のランナーが折戸１の外側方向に向かってスライドを開始し、蝶番３０を介して連結部１００の１１，２１側が回動して折戸１が閉塞される。このとき、取付座７２の端部７３が折戸１の連結部１００の端部と略々一致しているため、蝶番３０と操作時の力Ｆの作用線とが直交する位置、即ち蝶番３０から取手部６０の取付座７２までの距離Ｌ２が最短となり、最小の力で折戸１は閉塞される。また、拇指は、張出部８０の押圧面部８１を押圧しながら折戸１を閉塞させるため、操作時の力は張出部８０の押圧面部８１を介して取手部６０から円滑に無駄なく折戸１へ伝達される。
【００２５】
また、この折戸１の閉塞に伴って連結部１００の１１，２１側の木口面１１１，２１１が接近してくることになるが、取手部６０に手指を挿入して取手部６０を把持しているために木口面１１１、２１１から隔離され、手指詰めを引き起こすことはない。また、張出部８０は折戸１を完全に閉塞すると木口面１１１，２１１は殆ど隙間のない状態まで接近してくることになるが、図５に示すように、張出部８０と戸板１０との間には、常に隙間Ｓのあいた状態が形成される。
【００２６】
本実施の形態によれば、折戸用取手５５は、折戸１の連結部１００外側に位置され、取手部材５６を折戸１に対して水平方向にし、連続部１００の端部と取付座７２の端部７３とを略々一致させて取付座７２を介して取付けを行う。よって、折戸１の開閉時において、距離Ｌ１は最大となり、距離Ｌ２は最小となるため折戸１は、最小の力で最大の回転モーメントにより操作可能となり、操作の加重負担をより少なくさせることができる。特に、取付座７２の端部７３と折戸１の連結部１００の端部とを略々一致させ、折戸１に対して水平に取付ける折戸用取手５５は、折戸１に対して最小の力で最大の回転モーメントを提供している。したがって、力の小さい高齢者、幼児等においても良好な操作性を提供できる。
【００２７】
さらに、折戸１を折畳んだ状態でレールＲ１，Ｒ２上をスライドさせる場合においても、スライド方向に対して平行に力が折戸１に伝達されるため、容易な折戸１の操作が可能となる。また、張出部８０を押圧し又は取手部６０を引くことにより、レールＲ１，Ｒ２の支持がなく重心が偏位している連結部１００の１１，２１側を直接押し引きすることになるので、この折戸用取手５５に対する押し引き動作に合わせてランナーもレールＲ１，Ｒ２上をスライドし、折戸１をスムーズにスライドさせることができる。
【００２８】
また、張出部８０を設けることによって、折戸１の押圧時には取手部６０に手指を挿入して取手部６０を把持したまま拇指で押圧面部８１を押圧し続けることができるので、折戸１を片手で容易に押圧することができる。その結果、折戸１の開閉作業もスムーズに行うことができる。特に、拇指の方向が拇指以外の手指の方向と水平となるため、人間工学的見地からも力の伝達に無駄がないので、折戸１の円滑な開閉及びスライドを実現できる。
【００２９】
さらに、取手部６０と張出部８０とが連続して形成されているため、折戸１を閉塞する際に、戸板１０，２０の連結部１００の１１，２１側に位置する木口面１１１，２１１が接近しても、取手部６０が拇指以外の手指を木口面１１１、２１１から離隔し、張出部８０により拇指が保護されるため、折戸１の閉塞時における手指詰めを防止することができる。特に、取手部６０に手指を挿入して取手部６０を把持している状態であれば、その把持位置に関わらず、厚さｄで形成された張出部８０の押圧面部８１の範囲内に拇指を当接させることができるので、手指先の手指詰めを確実に防止することができる。また、張出部８０の厚さｄは拇指の大きさと略々一致するように形成するとこが望ましい。
【００３０】
さらに、張出部８０は取付座７２から離間して張出すように形成されているので、折戸１の連結や折戸用取手５５の取付けに取付誤差や公差があっても、常に隙間Ｓを形成して手指先の手指詰めを防止することができるとともに、押圧面部８１は、張出部８０と取手部６０とに連続して形成されるので、取手部６０を把持しながら十分な押圧を加えることができる。
【００３１】
さらに、固定部７０及び張出部８０の長さが約Ｌ／２であり、固定部７０の端部７３が連結部１００の戸板２０側の端部と一致しているため、折戸１を閉塞した場合など連結部１００に対して取手部６０が左右対称となる。図６に示すように、例えば、折戸１が３組ある場合、折戸用取手５５ａ及び５５ｂ及び５５ｃの３つを使用するが、折戸の折り畳み方向によって、折戸用取手５５ａは戸板１０側に取付けられる。このとき、各折戸を閉塞状態にしても、連結部１００に対して取手部６０は左右対称であるため、その取付位置に左右されずに、折戸用取手５５は連結部に対して、常に中央に位置される。よって、景観が良好となる。
【００３２】
さらに、折戸１に取付座７２を当接し、連結部１００の内側の戸板２０からネジ等の結合部材を挿通させて固定部７０と折戸１を固定させるので、折戸用取手の取付位置は自由に決定でき、その取付けは極めて容易におこなうことが可能となる。
【００３３】
また、本実施の形態においては、折戸用取手５５を折戸１の戸板２０に固定する場合を示したが、戸板１０にも固定することができる。
【００３４】
【発明の効果】
以上説明したように、本発明に係る折戸用取手は、戸の連結部外側に位置させて取手部材を折戸に対して水平方向にし、連結部の端部と取付座の端部とを略々一致させ、取付座を介して取付けられている。よって、折戸の開閉時において、ランナーから蝶番までの距離は最大となり、取手部から蝶番までの距離は最小となるため、最小の力で最大の回転モーメントにより操作可能となり、操作の加重負担をより少なくさせることができる。したがって、日常の生活空間内における折戸の開閉作業について、高齢者や幼児等の力の小さい人たちにとっても、快適な状態を提供することができる。
【図面の簡単な説明】
【図１】本発明に係る折戸用取手の実施の形態を示す斜視図である。
【図２】図１の要部の拡大斜視図である。
【図３】図１の折戸用取手の使用状態を示す平面図である。
【図４】図１の折戸用取手の使用状態を示す平面図である。
【図５】図１の折戸用取手の使用状態を示す平面図である。
【図６】図１の折戸用取手の使用状態を示す平面図である。
【図７】図１の折戸用取手を示す平面図であり、（ａ）が正面図、（ｂ）が背面図、（ｃ）が平面図、（ｄ）が左側面図、（ｅ）が右側面図、（ｆ）が底面図、（ｇ）が（ａ）のａ−ａにおける断面図である。
【符号の説明】
１          折戸
１０，２０  戸板
３０        蝶番
５０        折戸用取手
５５        折戸用取手
５６        取手部材
６０        取手部
６１        内接面
７０        固定部
７１        ネジ孔
７２        取付座
７３        取付座の端部
８０        張出部
８１        押圧面部
【図１】
0003581120.tif 000002
【図２】
0003581120.tif 000003
【図３】
0003581120.tif 000004
【図４】
0003581120.tif 000005
【図５】
0003581120.tif 000006
【図６】
0003581120.tif 000007
【図７】
0003581120.tif 000008